(57)【要約】【課題】圧縮機ユニットにおいて、規定角度以上に傾けられたことがあるか否かを容易に確認できるようにし、これに起因する事故の発生を防止可能とする。【解決手段】  圧延機本体１２が内蔵されている圧縮機ユニット１０の内部である、側面パネル１０Ａの内側面と、制御ボックス１４の外壁面とに、該ユニットが規定角度以上傾けられるとその事実が記録される過傾斜記録手段としてチルトウォッチ１６を貼付した。【選択図】図１
2005077069.tif 000002
【特許請求の範囲】
【請求項１】
圧延機本体が内蔵されている圧縮機ユニットにおいて、
圧縮機ユニットの内部に、該ユニットが規定角度以上傾けられるとその事実が記録される過傾斜記録手段を設けたことを特徴とする圧縮機ユニット。
【請求項２】
前記過傾斜記録手段が、前記圧縮機ユニットの筺体を構成するパネルの内側面に取り付けられていることを特徴とする請求項１に記載の圧縮機ユニット。
【請求項３】
前記過傾斜記録手段が、前記圧縮機ユニットに内蔵されている制御ボックスの外壁面に取り付けられていることを特徴とする請求項１又は２に記載の圧縮機ユニット。
【発明の詳細な説明】
【技術分野】
【０００１】
本発明は、圧縮機本体が内蔵された圧縮機ユニットに係り、特に各種極低温冷凍装置に設置した場合に、当初から安全運転を実現することが可能な圧縮機ユニットに関する。
【背景技術】
【０００２】
ギフォード・マクマホン（ＧＭ）型、パルスチューブ型、ジュール・トムソン（ＪＴ）型、ＧＭ＋ＪＴ型をはじめ、スターリングサイクル、ベルミエサイクル、ソルベイサイクル等の極低温冷凍装置においては、冷凍機へ高圧のガスを供給するための圧縮機本体が内蔵された圧縮機ユニットが、一般に用いられている（例えば、特許文献１参照）。
【０００３】
このような圧縮機ユニットに内蔵された圧縮機本体では、オイルセパレータの内側にオイルが収容されている。この圧縮機ユニットを安全に運転するためには圧縮機本体内に規定量のオイルが存在していることが必要であり、それを満たさない場合には軸受部分にオイルが十分に供給されないために、焼付けを起こすなどして故障の原因となる。
【０００４】
オイルがセパレータを越えて流出し、圧縮機本体に規定量のオイルが存在しなくなる事故が起こる原因の１つとしては、輸送時や運用時に、圧縮機ユニットを規定角度以上、例えば３０°以上傾けたり、転倒させてしまうことが挙げられる。
【０００５】
【特許文献１】特開２０００−３１０４５４
【発明の開示】
【発明が解決しようとする課題】
【０００６】
しかしながら、前記従来の圧縮機ユニットには、例えば所定位置に設置する場合等において、それまでに規定角度以上傾けられたことがあるか否か確認できないため、オイル不足等の事故の発生を確実に防止することができないという問題があった。
【０００７】
本発明は、前記従来の問題点を解決するべくなされたもので、過去に規定角度以上傾けられたことがあるか否かを確認することができ、従って、これに起因するオイル不足等の事故の発生を確実に防止することができる圧縮機ユニットを提供することを課題とする。
【課題を解決するための手段】
【０００８】
本発明は、圧延機本体が内蔵されている圧縮機ユニットにおいて、圧縮機ユニットの内部に、該ユニットが規定角度以上傾けられるとその事実が記録される過傾斜記録手段を設けたことにより、前記課題を解決したものである。
【０００９】
本発明においては、前記過傾斜記録手段が、前記圧縮機ユニットの筺体を構成するパネルの内側面に取り付けられているようにしてもよく、又、前記圧縮機ユニットに内蔵されている制御ボックスの外壁面に取り付けられているようにしてもよい。
【発明の効果】
【００１０】
本発明によれば、圧縮機ユニットにおいて、規定角度以上に傾けられた事実があるか否かを容易に確認することが可能となり、従ってこれに起因する事故が発生することを確実に防止することが可能となる。
【発明を実施するための最良の形態】
【００１１】
以下、図面を参照して、本発明の実施の形態について詳細に説明する。
【００１２】
図１には、本発明の第１実施形態である水冷式の圧縮機ユニット１０の概要を示す。この圧縮機ユニット１０は、一つの側面パネル１０Ａ以外は、二点鎖線で概要を示すような周囲４面と上下２面のパネルにより構成された筐体を有し、この筐体内には、圧縮機（本体）１２が内蔵されているとともに、該圧縮機１２を制御する制御装置が収容されている制御ボックス１４とが内蔵されている。
【００１３】
本実施形態では、圧縮機ユニット１０の内部である、側面パネル１０Ａの内側面と、該内側面と直交する前記制御ボックス１４の外壁正面とに、それぞれチルトウォッチ（過傾斜記録手段）１６が貼付されている。
【００１４】
このチルトウォッチ１６は、メディア・リカバリ社製の転倒警告用部材で、図示されているように、矢印が上向きの状態に貼付しておくことにより、規定角度（例えば８３°）以上傾けられると矢印の一部分の色が変わり、その事実を視認できる機能を有するものである。
【００１５】
本実施形態では、以上のように圧縮機ユニット１０の内部にチルトウォッチ１６を貼付したので、該圧縮機ユニット１０を設置したり運用したりする作業者は、設置等の前にパネルを外して該チルトウォッチ１６を見ることにより、それまでに規程角度以上に傾斜されたことがある場合には、その事実を容易且つ確実に視認することができる。従って、転倒等に起因して頻発していた圧縮機本体１２内のオイル不足を確実に防止できた。
【００１６】
又、チルトウォッチ１６を、一つの側面パネル１０Ａの内側面と、これに直交する制御ボックス１４の正面とに貼付したので、前後方向の傾斜と左右方向の傾斜の事実を共に確認することができる。
【００１７】
更に、チルトウォッチ１６を輸送時に使用する梱包材の表面に貼付する場合には、輸送業者が転倒等の事実を隠すために該チルトウォッチ１６を剥がしてしまうことが考えられるが、本実施形態によれば、このような不正を排除できる利点もある。
【００１８】
その結果、納入された圧縮機ユニット１０にオイル流出が起きていた場合、輸送時の問題なのか製造時等の他の問題なのか明確にできるようになり、輸送業者とのトラブルの解決がスムーズになった。
【００１９】
図２には、本発明の第２実施形態である空冷式の圧縮機ユニット１０を示す。但し、ここでは筐体の概要を全て二点鎖線で示してある。この圧縮機ユニット１０は、図示しない空冷用送風ファン等の取付位置との関係で、制御ボックス１４が圧縮機１２の後方ではなく、上方に設置されている。
【００２０】
そのため、第１実施形態では側面パネル１０Ａに貼付してあったチルトウォッチ１６を、制御ボックス１４の側面１４Ａに移動してある。
【００２１】
なお、前記実施形態では、過傾斜記録手段としてチルトウォッチ１６を採り挙げたが、これに限定されず、規定の角度以上傾斜すると、その事実が記録されるものであれば任意であり、規定角度も３０°や８７°に限定されない。
【００２２】
又、本発明は、ギフォード・マクマホン（ＧＭ）型、パルスチューブ型、ジュール・トムソン（ＪＴ）型、ＧＭ＋ＪＴ型をはじめ、スターリングサイクル、ベルミエサイクル、ソルベイサイクル等の極低温冷凍装置に適用される圧縮機ユニットに限定されず、通常用いられる圧縮機ユニットであってもよい。
【産業上の利用可能性】
【００２３】
以上説明したとおり、本発明によれば、規定角度以上に傾けられたことがあるか否かを容易に確認することが可能となり、該傾斜に起因する事故の発生を確実に防止することが可能となる。
【図面の簡単な説明】
【００２４】
【図１】本発明の第１実施形態の圧縮機ユニットの要部を示す概略斜視図
【図２】本発明の第２実施形態の圧縮機ユニットの要部を示す概略斜視図
【符号の説明】
【００２５】
１０…圧縮機ユニット
１０Ａ…側面パネル
１２…圧縮機（本体）
１４…制御ボックス
１４Ａ…側面
【図１】
2005077069.tif 000003
【図２】
2005077069.tif 000004